(57)【特許請求の範囲】
【請求項１】
カートリッジに収納された記録媒体本体の状態に関する情報を前記カートリッジに形成される情報孔部の開閉により検知可能な記録媒体を駆動する記録媒体駆動装置であって、
前記記録媒体を載置する載置面を有してこの記録媒体をフレームの内部に収納可能とするトレイと、
前記トレイの前記載置面において出没自在とされるとともに前記トレイの載置面から突出して前記情報孔部の開孔を検知する検知部と、
前記フレーム側に配置されて前記検知部の出没状態を検知して前記記録媒体の状態に関する情報を取得するスイッチ部と、
を具備し、
前記検知部は、前記情報孔部を検出するピン部材と、前記ピン部材を支持する支持部とを備え、
前記トレイは、前記ピン部材を挿通する検出孔部を有し、前記検知部の支持部を、前記トレイの載置面と反対側面となる裏面側から前記載置面側の方向に常時付勢する板ばねを備え、
前記板ばねは、一端が前記支持部に固定され、他端が前記トレイに固定される
ことを特徴とした記録媒体駆動装置。
【請求項２】
請求項１に記載の記録媒体駆動装置であって、
前記トレイは、ベアディスクタイプの記録媒体を載置可能であり、
前記検知部は、前記ベアディスクタイプの記録媒体を位置決めする
ことを特徴とした記録媒体駆動装置。
【請求項３】
請求項１または請求項２に記載の記録媒体駆動装置を備え、
前記記録媒体を記録および／ または再生する
ことを特徴とした記録再生装置。
【発明の詳細な説明】
【技術分野】
【０００１】
本発明は、記録媒体を内部に収納可能な記録媒体駆動装置、および記録再生装置に関する。
【背景技術】
【０００２】
従来、カートリッジの内部にディスクを収納して塵などによる汚れや傷から防護するカートリッジタイプの記録媒体が知られている。このような記録媒体の状態に関する情報は、例えばカートリッジに形成される窓部の状態によって検知することが可能である。例えば窓部が開口した状態では記録媒体への書き込みが可能であることを示し、窓部が閉鎖した状態では記録媒体への書き込みが不可能であることを示す。また、カートリッジに記録媒体の状態や種類などを示す孔部を設けた構成の記録媒体などが知られている。【０００３】
また、このようなカートリッジタイプの記録媒体を収納可能とするディスクドライブ装置が知られている（例えば、特許文献１）。特許文献１に記載のディスクドライブ装置は、記録媒体を回転可能に保持するターンテーブルと、この記録媒体の記録または再生を実施するピックアップとを有するサーボメカシャーシを備えている。このサーボメカシャーシの基端部は、回動自在に軸支され、上下方向に回動力が与えられるようになっている。従来、このようなサーボメカシャーシの先端部には、リードイン検出スイッチやライトプロテクトスイッチやカートリッジ検出スイッチなどのスイッチ部が設けられている。そして、サーボメカシャーシがカートリッジ方向に上下することでこれらのスイッチのうち幾つかがカートリッジに形成されている情報孔部を検出する。【０００４】
【特許文献１】特開平９−２５９４９８号公報（第４頁、図４、図５、図６）
【発明の開示】
【発明が解決しようとする課題】
【０００５】
しかし、特許文献１のようにライトプロテクトスイッチやカートリッジ検出スイッチなどのスイッチ部をサーボメカシャーシとともに移動させる構成では、サーボメカシャーシに設けられているターンテーブルが記録媒体を保持するため動作に追従してスイッチ部が上下に移動するため、スペース効率が悪くなる。また、この時スイッチ部で記録媒体の搬送動作を妨げないようにスイッチ部を移動させる必要があるため、複雑な機構となる。【０００６】
本発明のこのような実情に鑑みて、簡単な構成でカートリッジの情報を検知するとともにスペース効率が良好となる記録媒体駆動装置、および記録再生装置を提供することを1つの目的とする。
【課題を解決するための手段】
【０００７】
請求項１に記載の発明は、カートリッジに収納された記録媒体本体の状態に関する情報を前記カートリッジに形成される情報孔部の開閉により検知可能な記録媒体を駆動する記録媒体駆動装置であって、前記記録媒体を載置する載置面を有してこの記録媒体をフレームの内部に収納可能とするトレイと、前記トレイの前記載置面において出没自在とされるとともに前記トレイの載置面から突出して前記情報孔部の開孔を検知する検知部と、前記フレーム側に配置されて前記検知部の出没状態を検知して前記記録媒体の状態に関する情報を取得するスイッチ部と、を具備し、前記検知部は、前記情報孔部を検出するピン部材と、前記ピン部材を支持する支持部とを備え、前記トレイは、前記ピン部材を挿通する検出孔部を有し、前記検知部の支持部を、前記トレイの載置面と反対側面となる裏面側から前記載置面側の方向に常時付勢する板ばねを備え、前記板ばねは、一端が前記支持部に固定され、他端が前記トレイに固定されることを特徴とした記録媒体駆動装置である。
【０００８】
請求項３に記載の発明は、請求項１または請求項２に記載の記録媒体駆動装置を備え、前記記録媒体を記録および／ または再生することを特徴とした記録再生装置である。
【図面の簡単な説明】
【０００９】
【図１】本発明の一実施形態にかかる記録媒体駆動装置を示す分解斜視図。
【図２】記録媒体駆動装置に載置される記録媒体の一例を示すカートリッジタイプの記録媒体の正面図。
【図３】トレイの全体斜視図。
【図４】記録媒体駆動装置の進退方向に沿って上下方向を断面した断面図。
【図５】図４において、トレイにカートリッジタイプの記録媒体を載置したときの断面図。
【図６Ａ】トレイにカートリッジタイプの記録媒体を載置した状態で、トレイをフレーム内に格納したときの断面図。
【図６Ｂ】トレイにカートリッジタイプの記録媒体を載置した状態で、トレイをフレームの前面側から排出していたときの断面図。
【図７Ａ】本実施の形態の変形例の検知レバーを示す記録媒体駆動装置の断面図。
【図７Ｂ】図７Ａの変形例の異なる状態を示す断面図。
【図８Ａ】本実施の形態の別の変形例の検知レバーを示す断面図。
【図８Ｂ】図８Ａの変形例の異なる状態を示す断面図。
【図９】本実施の形態のさらに別の変形例の検知レバーを示す断面図。
【符号の説明】
【００１０】
３０…トレイ
３５…検知部としての検知レバー
１１１…スイッチ部
１１２…スイッチ本体
１１３…スイッチピン
３５１…検知部としてのレバー頭部
３５２…検知部としてのレバーピン
３５３…弾性部材としての板ばね。
【発明を実施するための最良の形態】
【００１１】
以下、本発明の実施形態を図面に基づいて説明する。図１〜図６は本実施形態の記録媒体駆動装置が示されている。【００１２】
[記録媒体駆動装置の構成]
図１は、本実施形態の記録媒体駆動装置の分解斜視図である。図１において、１００は記録媒体駆動装置である。この記録媒体駆動装置１００は、内部に記録媒体を収納して記録媒体に情報を記録し、または記録された情報の再生を行う。この記録媒体駆動装置１００に収納される記録媒体としては、例えばＣＤ（Compact
Disc）やＤＶＤ（Digital Versatile Disc）などの光ディスクをそのままの状態で用いるベアディスクタイプの記録媒体や、これらの光ディスクをカートリッジに収納して用いるカートリッジタイプの記録媒体を使用することができる。また、光ディスクに限らず、フレキシブルディスクなどの磁気ディスクを用いる場合にも好適なものである。そして、このような記録媒体駆動装置１００は、例えばパーソナルコンピュータなどの端末機器やオーディオ機器などに収納可能とされるものや、これらの端末機器やオーディオ機器の外部に外付け用ドライブとして設置するものなどがある。なお、この記録媒体駆動装置は、上記のような端末機器やオーディオ機器の周辺機器としての利用に限られず、ポータブルＣＤプレイヤなどのように単一で利用可能な装置や、その他光ディスクあるいは磁気ディスクを用いた記録媒体を駆動する様々な装置を対象とすることができる。【００１３】
図２に、記録媒体駆動装置１００に用いられる記録媒体の例として、カートリッジタイプの記録媒体の正面図を示す。図２において、ディスク９１は、中心に円状孔部９３を有し、ディスク９１の表面には記録面が形成されている。ディスク９１を覆うカートリッジ９２は、このディスク９１の記録面を粉塵や傷などから防護するために設けられている。このカートリッジ９２には、外周から中心に向けて開孔口９７が設けられ、この開孔口９７から内部のディスク９１の再生および／または記録が可能となっている。この開孔口９７には、ディスク９１を保護するためのカバー９４がスライド移動可能に設けられている。このカバー９４は、ディスク９１の再生および／または記録操作を実施しているときは、カートリッジ９２の側面方向にスライド移動して開孔口９７を開口し、ディスク９１の再生および／または記録操作を実施していない時は、ディスク９１を保護するために開孔口９７を閉鎖している。【００１４】
また、カートリッジ９２の一端部あるいは両端部に情報孔部９５が設けられている。この情報孔部９５には、例えばディスク９１への書き込みを許可するかどうかの切り替えるための切替部９５１が設けられていて切替部９５１を切り替えることでこのカートリッジタイプの記録媒体９０の状態に関する情報を変更することが可能である。なお、カートリッジ９２の情報孔部９５は、書き込み可、不可に限られず、例えば、カートリッジタイプの記録媒体９０の種類を示す情報孔部９５や、カートリッジタイプの記録媒体９０の記憶容量を表す情報孔部９５等、他の情報が示される情報孔部９５であってもよい。また、情報孔部９５に切替部９５１を設けない構成であってもよく、この場合は、情報孔部９５の有無を判別することにより、カートリッジタイプの記録媒体９０の状態に関する情報を取得することが可能となる。【００１５】
図１に戻って、記録媒体駆動装置１００は、平面略矩形形状のフレーム１０と、このフレーム１０の内部に取り付けられているベース部材２０と、フレーム１０に出し入れ可能とされるトレイ３０と、フレーム１０の上面を覆うクランプ機構４０と、フレームの外周面を覆う金属製の図示しないケーシングとを備えている。【００１６】
（フレームの構成）
フレーム１０は、合成樹脂などから形成される部材である。このフレーム１０は底部１１が略平面長方形の平板状となる略箱型形状に形成されている。この底部１１の短辺側周縁部の一方に一体形成された背面部１２と、底部１１の周縁部の短辺側の他方に底部１１から立ち上がって一体形成される前面部１４と、底部１１の周縁部の両長辺側に一体形成される２つの側面部１５と、を備え、これらの側面部１５及び背面部１２とで囲まれ底部１１と対向する上面開口部１３が形成されている。【００１７】
ここで、この記録媒体駆動装置１００において、記録媒体駆動装置１００の横置き、縦置きの状態によらず、上面開口部１３側を上面側、それに対する底部１１側を下面側、背面部１２側を背面側、前面部１４側を前面側と定義する。また、前面側−背面側に沿う方向を進退方向とし、上面から下面に向かう方向を上下方向とし、進退方向と上下方向とに直交する側面への方向と側面方向とする。【００１８】
底部１１には、周縁部に側面部１５、前面部１４、および背面部１２が設けられ、その内側に空洞部が設けられている。この空洞部は図示しない電気回路が収納されるスペースであり、この電気回路によって記録媒体駆動装置１００の動作が制御されている。底部１１の前面側には、スイッチ部１１１が設けられている。スイッチ部１１１は、スイッチ本体１１２と、このスイッチ本体１１２から上面側に向かって進退可能に設けられるスイッチピン１１３とを備えている。【００１９】
スイッチ部１１１は、表面に図示しない回路が形成された回路基盤である。このスイッチ部１１１の所定位置には、スイッチ本体１１２が固定されている。スイッチ部１１１の回路は、このスイッチ本体と電気的に接続されていて、さらに、図示しない配線、例えばフレキシブル基盤などによって、空洞部に設けられる電気回路と電気的に接続されている。従って、スイッチ本体１１２に設けられるスイッチピン１１３が、後述するトレイ３０に設けられる検知レバーによって押し下げられると、スイッチ本体１１２からスイッチ部１１１に形成された回路を介して前記空洞部の電気回路に所定の信号が出力される。ここでスイッチ本体１１２から電気回路に出力される信号には、例えばカートリッジタイプの記録媒体９０が挿入された旨の信号やディスク９１への書込みの可・不可を知らせる旨の信号などがある。【００２０】
背面部１２は、下面側に図示しない外部端子部があり、この外部端子部はフレーム内で底部１１に設けられている電気回路と電気的に接続されている。この外部端子部は、例えば、記録媒体駆動装置へ電力を供給するための電源ケーブル接続部や、パーソナルコンピュータなどの外部機器との接続を可能とする外部端子接続部などを備えている。記録媒体駆動装置１００で再生および／または記録される情報は、主としてこの外部端子から入出力されている。【００２１】
側面部１５の内壁には、トレイ３０を摺動自在に支持する摺動片１５０が進退方向に亘って設けられている。また、側面部１５の背面側にはベース部材２０が揺動自在に取り付けられている。【００２２】
前面部１４は、背面部１２及び側面部１５よりも図における上下方向への寸法が小さく形成されていて、この前面部１４の上面側にトレイ３０が出し入れされる前面開口部１４１が設けられている。また、前面部１４には図示しない操作部が設けられていて、この操作部は底部１１に設けられている電気回路に接続されている。この操作部には、例えば、トレイ３０を出し入れするためのイジェクトボタンや、音量を調整するためのボリュームつまみ、イヤホンの挿入口などが含まれている。【００２３】
（ベース部材の構成）
ベース部材２０は金属製の板材をプレス成型等することで形成されている。ベース部材２０は、フレーム１０の側面部１５の背面側において回動自在に取り付けられ、上下方向に対して進退可能に設けられている。このベース部材２０の前面側から所定距離離れ、かつ、側面方向において略中心となる位置には、上下方向を回転軸として回転可能となる平面円形のディスクテーブル２３が取り付けられている。このディスクテーブル２３は、ベース部材２０の回動に連動して、上下方向に進退可能となっている。ディスクテーブル２３はベース部材２０の上面より上面側に突出して設けられている。このディスクテーブル２３に下面側にはモータ等の図示しない回転駆動機構が設けられていて、この回転駆動機構は前記電気回路とパターン配線が埋め込まれた合成樹脂製のフレキシブル基板等によって電気的に接続されている。前記電気回路から駆動命令の電気信号が伝達されると、この回転駆動機構がディスクテーブル２３を高速回転させる。【００２４】
ディスクテーブル２３は、記録媒体を載置する載置部２３２と、載置部２３２の中心に設けられて上面側が径小となるテーパ状のテーパ部２３１とを備えている。このテーパ部２３１がディスクの円状孔部に係合される。また、テーパ部２３１の上面側には図示しない磁石が嵌め込まれていて、載置部２３２の上面側には記録媒体の面を保護するとともに滑り止めとなる合成樹脂製の図示しないシート部材が接着されている。このシート部材によってディスクテーブル２３が高速回転しても記録媒体が滑ることがなく、従って記録媒体に記録された情報に対しての高速アクセスが可能となる。【００２５】
ベース部材２０のディスクテーブル２３より背面側には、記録再生機構配置用孔部２６が設けられていて、この記録再生機構配置用孔部２６に図示しない記録再生機構が設けられている。この記録再生機構は記録媒体の記録面にレーザー光線を照射して情報を記録及び／又は再生する装置であり、ベース部材２０の記録再生機構配置用孔部２６の前面−背面方向に沿って進退可能となっている。この記録再生機構の一部に、合成樹脂製の図示しないフレキシブルケーブルが接続されていて、記録再生機構はこのフレキシブルケーブルを介して前記電気回路と電気的に接続されている。【００２６】
（トレイの構成）
図３はトレイ３０の斜視図である。図４は、記録媒体駆動装置１００の進退方向に沿って上下方向を断面した断面図である。【００２７】
トレイ３０は、例えばＡＢＳ樹脂などの合成樹脂で形成される部材であり、例えばＣＤやＤＶＤなどの記録媒体を載置して記録媒体駆動装置内部に格納するものである。トレイ３０は、平面矩形状に形成されている載置面３１と、載置面３１の周縁部の前面側から立ち上がる立上部３２とを有している。トレイ３０の下面側の側面には、トレイ３０が進退する方向に沿って直線状の図示しない溝部が一体形成されていて、この溝部に側面部１５の摺動片１５０が係合している。トレイ３０は、これらの溝部と摺動片１５０によって進退方向にスムーズに進退することができる。【００２８】
載置面３１は、例えばＣＤやＤＶＤといった光学式の記録媒体を載置する面である。この載置面３１の略中心には、孔部が設けられていて、トレイ３０をフレーム１０内に格納したとき、この孔部からディスクテーブル２３が載置面３１側に突出して記録媒体を保持する。またこの孔部を通して、情報再生機構であるピックアップが記録媒体の記録面に対して進退し、記録媒体の再生および／または記録を可能としている。載置面３１は、カートリッジタイプの記録媒体９０とベアディスクタイプの記録媒体のいずれかを載置できるものであり、ベアディスクタイプの記録媒体を載置するために、円状凹部が形成されている。【００２９】
トレイ３０の載置面３１の前面側には検出孔部３４が設けられている。この検出孔部３４の下面側（トレイ３０の載置面とは反対側であって後述する固定部３５４が配置される側）には、検知部としての検知レバー３５が設けられている。【００３０】
検知レバー３５は、支持部であるレバー頭部３５１と、レバー頭部３５１に設けられるピン部材であるレバーピン３５２とを備えて構成されている。レバー頭部３５１には、付勢手段としての板ばね３５３の一端が設けられていて、この板ばね３５３の他端は、トレイ３０の裏面の固定部３５４にて固定されている。【００３１】
レバー頭部３５１は、例えば合成樹脂などの軽量部材で形成されている。このレバー頭部３５１は、下部が曲面状または、２面以上の平面で形成されている。そして、レバー頭部３５１が下面側に押し下げられたとき、レバー頭部３５１の下部は、スイッチピン１１３と略垂直に当接してスイッチピン１１３を押し込む。また、このレバー頭部３５１は、トレイ３０の裏側からトレイ３０の載置面側に向かって、板ばね３５３により付勢されている。そして、トレイ３０が記録媒体駆動装置１００内に格納された状態において、このレバー頭部３５１の下面側にスイッチ本体１１２のスイッチピン１１３が配置されるように配置される。また、レバー頭部３５１のトレイ３０の裏面と対向する面積は、検出孔部
３４の孔面積よりも大きく設定されていて、レバー頭部３５１は、検出孔部３４から載置面３１側に突出しない構成となっている。【００３２】
レバーピン３５２は、レバー頭部３５１に、検出孔部３４を通って載置面側に突出するように固定されている。このレバーピン３５２とレバー頭部３５１とは、板ばね３５３により、トレイ３０に対して上下方向に進退可能に設けられている。そして、レバーピン３５２が載置面３１側から力を受けて押し下げられると、レバー頭部３５１も同時に押し下げられる。そして、レバー頭部３５１は、トレイ３０がフレーム１０内に格納されたとき、前述したように、フレーム１０の底部１１に固定されているスイッチピン１１３を押し込みスイッチ本体１１２から電気回路に所定の信号が出力される。【００３３】
固定部３５４は、例えばトレイ３０の一部を下面側に突出させて形成し、この突出部に板ばね３５３を挟んで固定するものであってもよく、また、ねじ止めや接着剤による固定、溶接などによって直接トレイ３０に固定するものであってもよい。なお、この固定部３５４による板ばね３５３の固定は、上記の固定方法に限られず、その他の固定方法であってもよい。【００３４】
また、トレイ３０の円状凹部の周縁に沿って、ガイド突起３８が設けられている。このガイド突起３８は載置面３１の表面から出没自在に設けられている。そして、ガイド突起３８は、載置面３１円状凹部にベアディスクタイプの記録媒体が載置されたとき、このベアディスクタイプの記録媒体が円状凹部からずれて落下しないようにガイドする。また、載置面３１にカートリッジタイプの記録媒体が載置されたときは、トレイ３０の裏面側に押し下げられて載置面３１上に突出しない。【００３５】
さらに、載置面３１の所定位置にはカートリッジ位置決め突起３７が設けられている。このカートリッジ位置決め突起３７は、カートリッジタイプの記録媒体をトレイ３０に載置する際に、カートリッジ側に設けられる位置決め孔部９６を係合することでカートリッジを載置面３１に対して位置決めする。【００３６】
トレイ３０の載置面３１の略中心はディスクテーブル２３が挿通される位置であり、この位置より背面方向に向かって、作業孔部３６が設けられている。この作業孔部３６は、載置面３１に載置された記録媒体に係合するディスクテーブル２３が挿通する他、記録媒体の再生及び／又は記録を行う記録再生機構から記録媒体の記録面に向かって照射されるレーザー光線の通過部となっている。【００３７】
立上部３２は、トレイ３０の前面側を覆い、前面開口部１４１を隠す蓋として機能している。また、記録媒体がディスクテーブル２３に保持されていない状態において、この記録媒体が載置面３１から前面側に落下するのを防止している。【００３８】
また、立上部３２の背面側の下方とトレイ３０の裏面側とで囲まれる空間は、スイッチピン１１３およびレバー頭部３５１の移動スペースであり、この空間において、レバー頭部３５１およびスイッチピン１１３が上下方向に進退する。【００３９】
トレイ３０の背面側には合成樹脂等で形成される記録媒体の位置決め部材としてのスライダ３３が取り付けられている。スライダ３３はばね等の図示しない弾性部材によって前面側に付勢されている。スライダ３３は、前面側に付勢された状態において、ベアディスクのトレイの背面側のガイドの役目を果たし、カートリッジを載置する場合では、カートリッジとベアディスクの外形差を吸収するためにトレイの背面側へスライドし、カートリッジをトレイに載置する際のガイドの役目を果たす。【００４０】
（記録媒体の状態に関する情報の検知）
図５は、図４においてトレイ３０に情報孔部９５が開いている状態のカートリッジタイプの記録媒体９０を載置したときの断面図である。図６Ａは、図４においてトレイ３０に情報孔部９５が閉鎖している状態のカートリッジタイプの記録媒体９０を載置し、トレイ３０をフレーム１０内に格納したときの断面図である。図６Ｂは、図４においてトレイ３０に情報孔部９５が閉鎖している状態のカートリッジタイプの記録媒体９０を載置し、トレイ３０をフレーム１０の前面側から排出したときの断面図である。【００４１】
検出孔部３４は、このようなカートリッジ９２の情報孔部９５と対応する位置に設けられていて、この検出孔部３４からレバーピン３５２が突起している。そして、図５のように、カートリッジ９２の情報孔部９５が開いている場合では、レバーピン３５２の先端がカートリッジの情報孔部９５に入り込み、レバー頭部３５１は、記録媒体９１への書き込み不可能と判断することができる（図５参照）。【００４２】
一方、図６Ａ、図６Ｂに示すように、カートリッジ９２の情報孔部９５が切替部９５１によって閉鎖されている場合や情報孔部９５が無い場合では、トレイ３０をフレーム１０の前面側から排出してカートリッジ９２を載置した際に、レバーピン３５２は、切替部９５１やカートリッジ９２の外周部に当接して、レバー頭部３５１とともに下方に押し下げられる（図６Ｂ参照）。そして、トレイ３０をフレーム１０内に格納したとき、レバー頭部３５１は、下面側に配置されるスイッチ本体１１２のスイッチピン１１３を押し込み、スイッチ本体１１２から電気回路にスイッチピン１１３が押し込まれた旨の信号を出力し、これによって書き込み可能と判断することができる（図６Ａ参照）。なお、前述したように、カートリッジ９２の情報孔部９５は、書き込み可、不可に限られず、例えば、カートリッジタイプの記録媒体の種類を示す情報孔部９５や、カートリッジタイプの記録媒体の記憶容量をしめす情報孔部９５等、他の情報が示される情報孔部９５であってもよい。検知レバー３５は、これらの情報孔部９５を検知して、その情報に従った信号をスイッチ部１１１のスイッチ本体１１２を介して前記電気回路に出力する。【００４３】
（クランプ機構の構成、および記録媒体の保持）
フレーム１０の上面開口部１３には、クランプ機構４０が取り付けられていて、このクランプ機構４０は、ディスクテーブル２３で係合された記録媒体がディスクテーブル２３から外れないように保持する機構である。クランプ機構４０は、ディスクテーブル２３と対向する位置にクランパ４１を備え、このクランパ４１は、クランパホルダー４２に支持されている。クランパ４１は、合成樹脂で形成されていて中心部の上面側に図示しない円盤状金属部材が嵌めこまれている。クランパホルダー４２には、図示しない板ばねが設けられていて、クランパホルダー４２を下面側に付勢するように働いている。【００４４】
このクランプ機構４０を備えた記録媒体駆動装置１００で、例えば、記録媒体として円板状のディスクを用い、トレイ３０の載置面３１に載置してトレイ３０をフレーム１０内に収納させた場合を例示する。この場合、記録媒体のディスクに形成される円状の孔部９３がディスクテーブル２３のテーパ部２３１に係合され、載置部２３２の図示しないシート部材にディスクが載置される。そして、ディスクテーブル２３のテーパ部２３１には図示しない磁石が嵌めこまれているので、クランパ４１がディスクテーブル２３の磁石によってディスクテーブル２３側に吸着されてこのディスクをクランパ４１で挟むことができ、これによってディスクはディスクテーブル２３から外れないように固定される。従って、ディスクテーブル２３は光ディスクの再生および／または記録時に高速回転しても、ディスクテーブルから外れることはない。【００４５】
このディスクを取り外すときには、ディスクテーブル２３が下面側に移動して、磁石とクランパ４１とが離れ、クランパ４１は図示しないカム機構によってクランパホルダー４２とともに上面側に押し上げられる。そして、ディスクテーブル２３が載置面３１より下面側に移動すると、ディスクは載置面３１の上面側に載置され、トレイ３０をフレーム１０から排出することで記録媒体を取り出すことが可能となる。【００４６】
（ベース部材２０とトレイとの連結）
図１，図４において、ベース部材２０の前面側には連動機構５００が設けられている。この連動機構５００はベース部材２０と係合するドライブカム５０と、ドライブカム５０に一体形成されている第一ラック５２と、この第一ラック５２に噛合し第一歯車５３１から第四歯車５３４を有する歯車機構５３と、この歯車機構５３に噛合し前記電気回路からの制御によって駆動されるモータ部５４と、トレイ３０の下面側に設けられ歯車機構５３に噛合する図示しない第二ラックとを備えている。【００４７】
ドライブカム５０は、合成樹脂などで形成され、トレイ３０の進退方向と直交する側面方向に往復自在に配置されている。ドライブカム５０の背面側には側面方向に延びるカム溝５１が形成されていて、ベース部材２０のカム係合ピン２４はこのカム溝５１に係合されている。カム溝５１は、一端が上面側、他端が下面側に配置されるように、側面方向の中間が傾斜状に形成されている。このドライブカム５０が側面方向に往復運動することでカム係合ピン２４はこの傾斜部を伝ってカム溝５１の両端間を移動し、これによってベース部材２０は上下方向に往復運動可能となっている。【００４８】
このドライブカム５０の一側面に形成されている第一ラック５２は歯車機構５３の第三歯車５３３に噛合している。この第三歯車５３３の下面側には第三歯車５３３より径大となる第二歯車５３２が一体形成されていて、この第二歯車５３２は、第一歯車５３１に噛合している。また第三歯車３５３は、第４歯車３５４に噛合している。
第一歯車５３１はモータ部５４のモータ歯車５４２に噛合している。モータ歯車５４２は、ホイール５４１と合成樹脂製のリング状のベルト５４３によって連結されている。ホイール５４１の下面側ではフレーム１０を介して図示しないモータ本体が設けられていて、このモータ本体から直接駆動力を与えられている。モータ本体は前記電気回路と電気的に接続されており、電気回路によってモータ本体の回転が制御されている。
第四歯車５３４はトレイ３０の下面側に設けられている図示しない第二ラックと噛み合っている。【００４９】
フレーム１０の前面部１４に設けられている図示しないイジェクトボタンや、外部から
の入力などによって、トレイ進退命令が前記電子回路に伝えられると、電子回路はモータ本体を駆動させる。モータ本体が回転すると、回転がホイール５４１、モータ歯車５４２を介して歯車機構５３の第一歯車５３１に伝達される。そして、第一歯車５３１から第二歯車５３２に回転動力が伝達され、この第二歯車と一体的に設けられる第三歯車５３３及び第三歯車５３３と噛合する第四歯車５３４が回転する。第三歯車５３３の回転によって、この第三歯車５３３と第一ラック５２で噛合するドライブカム５０が側面方向に運動し、ドライブカム５０と係合するベース部材２０が上面側、あるいは下面側に移動する。また、第四歯車５３４の回転によって、第四歯車５３４と第二ラックで噛合するトレイ３０が背面側、あるいは前面側に移動する。【００５０】
このようにして、ベース部材２０とトレイ３０はドライブカム５０及び歯車機構５３によって連結されている。ここで、トレイ３０が排出される時に、先ずディスクテーブル２３が下面側に移動し、その後トレイ３０が排出される必要がある。これには、トレイ３０と第二ラックとの摺動の規制によって行われる。これは、例えば、トレイ３０は第二ラックに対して所定距離だけ摺動可能となるように設定されている。この場合、イジェクトボタンなどによってトレイ３０の排出命令が出されると、モータ部５４が駆動し、連動機構５００によってベース部が下面側に移動する。この時、同時に第四歯車５３４も回転し第二ラックが連動するが、この第二ラックはトレイ３０に所定距離だけ摺動可能に設けられていて、この所定距離分は第二ラックのみが前面側に移動する。そして、ベース部材２０が下面側に移動して、トレイ３０と干渉しないだけの間隔になると、第二ラックはトレイ３０に係合して、トレイ３０を前面側に移動させる。また、トレイ３０が背面側に移動してフレーム内に格納された時、このトレイ３０と第二ラックとの摺動を規制するために図示しない遊び調整機構が設けられている。【００５１】
さらに、トレイ３０が挿入される時に、トレイ３０とディスクテーブル２３との干渉を避けるため、先ずトレイ３０が挿入されてから、その後ディスクテーブル２３が上面側に移動する必要がある。これには、トレイ３０とドライブカム５０との間には図示しないタイミング調整機構が設けられている。【００５２】
[記録媒体駆動装置の作用効果]
以上のような本実施の形態の記録媒体駆動装置では、カートリッジタイプの記録媒体９０を載置して収納するトレイ３０に、カートリッジ９２の情報孔部９５の位置に合わせた位置に検出孔部３４が設けられ、この検出孔部３４の下面側において検知レバー３５がトレイ３０の裏面に設けられている。そして、トレイ３０がフレーム１０内に収納された状態において、検知レバー３５の下面側には、フレーム１０の底部１１にスイッチ本体１１２が設けられている。これにより、検知レバー３５のレバー頭部３５１が下面側に押し下げられるとスイッチ本体１１２のスイッチピン１１３に当接し、スイッチピン１１３をスイッチ本体１１２に押し込んで所定の信号を出力することができる。従って、従来では、ベース部材とスイッチ部とを連動させてカートリッジの情報孔部を検知していたため、スイッチ部の移動軌跡の範囲のスペースを設ける必要があったが、本実施の形態では、スイッチ部１１１をフレーム１０に固定することでベース部材の動作と切り離すことができる。このため、簡単な構成でカートリッジ９２の情報孔部９５を検知できるとともにスペース効率を良好にできる。また、スイッチ部をフレーム１０に固定しているため、従来のごとく上下動するベース部材２０にスイッチ部を設置されていた場合に比してケーブルの引き回しが複雑化することなく、断線の恐れも低減でき、検出精度が上昇する。【００５３】
また、検知レバー３５は、レバー頭部３５１とレバーピン３５２とを備え、レバー頭部３５１には、板ばね３５３が取り付けられて、この板ばね３５３の一端はトレイ３０の裏面に固定されていて、検知レバー３５は常時トレイ３０の裏面側から載置面３１側へ付勢されている。このため、レバーピン３５２はトレイ３０に設けられる検出孔部３４を通って載置面３１から出没自在となる。これにより、レバーピン３５２は、カートリッジ９２が載置されたときに、カートリッジ９２に形成される情報孔部９５を容易に検知することができ、検出精度が向上する。また、スイッチ部をフレーム１０に固定しているため、従来のごとく上下動するベース部材２０にスイッチ部が設置されていた場合に比べてケーブルの引き回しが複雑化することなく、断線の恐れも低減でき、検出精度が上昇する。【００５４】
さらに、レバー頭部３５１の下部は、曲面状または、二面以上の平面で形成されている。これにより、レバー頭部３５１が下面側に押し下げられたとき、スイッチピン１１３と略垂直に当接することができる。従って、レバー頭部３５１は、スイッチピン１１３を確実に押し込むことができ、さらに、スイッチピン１１３に無理な力が加わらないのでスイッチピン１１３の損傷を防止することができる。また、スイッチピン１１３は、縦および横の２方向から押せる２方向動作タイプでもよく、これにより損傷をより防止することができる。【００５５】
[実施の形態の変形例]
なお、本発明は前述の実施形態に限定されるものではなく、本発明の目的を達成できる範囲での変形、改良等は本発明に含まれるものである。【００５６】
例えば、本実施の形態の記録媒体駆動装置では、検知レバー３５は、板ばね３５３によってトレイ３０の裏面側から載置面３１側に付勢されていたが、これに限らない。例えば、図７Ａ、図７Ｂに示すように、検知レバー３５Ａは、トレイ３０の裏側の固定部３５４Ａに回動自在に設けられ、レバー頭部３５１Ａと固定部３５４Ａとをアーム板３５３Ａで連結する構成であってもよい。このような構成では、レバー頭部３５１Ａは自重により下面側に降下するが、この時、スイッチピン１１３の上面側への付勢力の方がレバー頭部３５１Ａの自重より大きくなるように設定しておくことで、レバー頭部の自重によるスイッチピン１１３の押し込みを防止できる。また、このような構成では、このスイッチピン１１３の付勢力によってレバー頭部３５１Ａおよびレバーピン３５２Ａがトレイ３０の裏面側から載置面３１側に付勢される。そして、トレイ３０にカートリッジタイプの記録媒体９０を載置した際に、カートリッジ９２の情報孔部９５の有無によりレバー頭部３５１Ａおよびレバーピン３５２Ａが上下方向に進退する。例えば、カートリッジ９２の情報孔部９５が開口していれば、レバーピン３５２Ａがその情報孔部に挿通されて押し下げられない（図７Ａ参照）。一方、カートリッジ９２の情報孔部９５が閉鎖していれば、レバーピン３５２Ａはカートリッジ９２に押し下げられてスイッチピン１１３を押し込む（図７Ｂ参照）。このような構成では、スイッチピン１１３の付勢力を利用するため検知レバー３５に弾性部材を設ける必要がなく、構成をより簡単にできるため、生産コストの削減、部材点数の減少を促すことができる。【００５７】
また、本実施の形態の記録媒体駆動装置において、トレイ３０の載置面３１は、ベアディスクタイプの記録媒体を載置した際に、このベアディスクタイプの記録媒体の位置決めのためのガイド突起３８を備えていることを例示したが、これに限られず、検知レバー３５にガイド突起３８を一体成形することにより、ベアディスクタイプの記録媒体の位置決めとして機能する構成としてもよい。【００５８】
この場合、検知レバー３５および検出孔部３４は、ベアディスクタイプの記録媒体が載置される載置面３１上の円状凹部の周縁の外側近傍に設けられる。このような構成によって、検知レバー３５は、トレイ３０の載置面３１にカートリッジタイプの記録媒体９０が載置されたときは、上述した実施の形態と同様に、カートリッジ９２の情報孔部９５を検知し、適切な情報を取得することができる。そして、ベアディスクタイプの記録媒体を載置面３１に載置したとき、トレイ３０の円状凹部の周縁に沿って、載置面３１上にガイド突起３８を突起させて、ベアディスクタイプの記録媒体が円状凹部から外れたり落下したりすることを防止することができる。このような構成にすることで、検知レバー３５は、ガイド突起３８を兼用できるため、このガイド突起３８を新たに形成する必要がなくなる。従って、部品点数を削減でき、生産コストを低減できる。【００５９】
さらに、本実施の形態では、弾性部材として板ばね３５３を用いて検知レバー３５のレバー頭部３５１を載置面３１側に付勢していたが、これに限らない。例えば、図８Ａ、図８Ｂに示すように、検知レバー３５はレバー頭部３５１と、レバーピン３５２とを有し、このレバー頭部３５１を下面側から弾性を有する合成樹脂製カバー３５３Ａで覆うものであってもよい。この合・BR>ャ樹脂製カバー３５３Ａは、カートリッジ９２が載置されていない通常時には、図８Ａのように、検知レバー３５を載置面３１側に付勢する。そして、載置面３１にカートリッジ９２が載置されるなどしてレバーピン３５２が押し下げられると、図８Ｂのように、下方に押し下げられ、スイッチピン１１３を押し込む。このような構成では、簡単な構成で、かつ部品点数も少なくすることができるので、生産コストを下げることができる。【００６０】
また、本実施の形態では、板ばね３５３は、一端が検知レバー３５のレバー頭部３５１に設けられていて、他端がトレイ３０の下面側に設けられる固定部３５４に固定されている構成を示したが、これに限らない。例えば、図９に示すように、板ばね３５３Ｂは、一端が検知レバー３５Ｂのレバー頭部３５１に設けられて、他端が、トレイ３０の下面側から載置面３１側に貫通して形成されるばね挿通孔３９を通って、載置面３１側に設けられる固定部３５４Ｂに固定される構成としてもよい。【００６１】
また、本実施の形態において、スイッチ本体１１２からスイッチピン１１３が上方に突出する構成を例示しているが、これに限られず、例えば、スイッチ本体１１２は上面に金属製の接触部を有し、一方レバー頭部３５１の下面側に前記接触部に当接可能な導電性の当接部を有し、接触部は、当接部が当接した事を検知して所定の信号を電気回路に出力するものであってもよい。このような構成では、スイッチ部１１１の厚みをさらに薄くできるので、装置全体の厚み寸法を小さくできる。【００６２】
［実施形態の作用効果］
カートリッジタイプの記録媒体９０を載置するトレイ３０に、カートリッジ９２の情報孔部９５に合わせた位置に検出孔部３４が設けられ、この検出孔部３４の下面側において検知レバー３５がトレイ３０の裏面に設けられている。そして、トレイ３０がフレーム１０内に収納された状態において、検知レバー３５の下面側のフレーム１０の底部１１にスイッチ部１１１が設けられている。これにより、スイッチ部１１１をフレーム１０に固定することでベース部材の動作と切り離すことができ、簡単な構造でカートリッジ９２の情報孔部９５を検知できるとともにスペース効率を良好にできる。
【産業上の利用可能性】
【００６３】
本発明は、カートリッジの内部にディスクを収納するカートリッジタイプの記録媒体の記録媒体駆動装置および記録再生装置として利用できる。
【図１】
0004336679.tif 000002
【図２】
0004336679.tif 000003
【図３】
0004336679.tif 000004
【図４】
0004336679.tif 000005
【図５】
0004336679.tif 000006
【図６Ａ】
0004336679.tif 000007
【図６Ｂ】
0004336679.tif 000008
【図７Ａ】
0004336679.tif 000009
【図７Ｂ】
0004336679.tif 000010
【図８Ａ】
0004336679.tif 000011
【図８Ｂ】
0004336679.tif 000012
【図９】
0004336679.tif 000013